(57)【要約】【課題】タッチペンとして使用可能なノック式筆記具であって、筆記具の後端側にタッチペンの先端を設けるとともに、タッチペンの先端を出し忘れてタップしたりフリックしたりすることで液晶にキズをつけてしまう問題も発生せず、また、新規な使用感を得られるノック式筆記具を提供する。【解決手段】軸筒部１１と、前記軸筒部１１の後端部１１ｂにノック操作可能に突出して設けられるノック体１２と、を備える。前記軸筒部１１を絶縁材料で形成するとともに、前記ノック体１２を導電材料で形成し、前記ノック体１２は、導電材料で形成したクリップ１３を備えている。【選択図】図３
2014091269.tif 000002
【特許請求の範囲】
【請求項１】
静電容量式のタッチペンとして使用可能なノック式筆記具であって、
軸筒部と、
前記軸筒部の後端部にノック操作可能に突出して設けられるノック体と、
を備え、
前記軸筒部を絶縁材料で形成するとともに、前記ノック体を導電材料で形成し、
前記ノック体は、導電材料で形成したクリップを備えていることを特徴とする、ノック式筆記具。
【請求項２】
前記ノック体の先端に軟質のパネル接触部材を設けたことを特徴とする、請求項１記載のノック式筆記具。
【発明の詳細な説明】
【技術分野】
【０００１】
この発明は、静電容量式のタッチペンとして使用可能なノック式筆記具に関する。
【背景技術】
【０００２】
従来、筆記具にタッチペンの機能を持たせたものが提案されている。
【０００３】
例えば、特許文献１には、多色ノック式ボールペンにおいて、ボールペン本体に内設した１本のボールペン軸の先端部に、タッチパネルに接触させて情報の入出力を行うことのできる円柱状のタッチ具を設けてなるタッチペンを内設したものが提案されている。
【０００４】
また、特許文献２には、軸筒の先端側に筆記先端が設けられ、かつ、後端側に導電性を備えた静電容量型タッチペンを搭載した筆記具が提案されている。この特許文献２記載の筆記具においては、静電容量型タッチペンは筆記先端と同時に出没可能に形成されている。
【先行技術文献】
【特許文献】
【０００５】
【特許文献１】特開２０１２−１７９８８７号公報
【特許文献２】特開２０１２−１５３０８７号公報
【発明の概要】
【発明が解決しようとする課題】
【０００６】
しかし、上記した特許文献１記載の発明の場合、筆記具の先端とタッチペンの先端とが一緒に格納されているため、筆記具の先端から滲出したインク等がタッチペンの先端に付着してタッチパネルを汚損したり、誤って筆記具の先端でタッチパネルに触れてしまいタッチパネルが破損したりといった問題が発生するおそれがあった。
【０００７】
この点、特許文献２記載の発明のように、筆記具の後端側にタッチペンの先端を設ければ、筆記具の先端とタッチペンの先端とが互いに逆向きに設けられるので上記した問題は発生しない。しかしながら、タッチペンの先端を出し忘れてタップしたりフリックしたりすると、液晶にキズをつけてしまう可能性があった。
【０００８】
そこで、本発明は、タッチペンとして使用可能なノック式筆記具であって、筆記具の後端側にタッチペンの先端を設けるとともに、タッチペンの先端を出し忘れてタップしたりフリックしたりすることで液晶にキズをつけてしまう問題も発生せず、また、新規な使用感を得られるノック式筆記具を提供することを課題とする。
【課題を解決するための手段】
【０００９】
本発明は、上記した課題を解決するためになされたものであり、以下を特徴とする。
【００１０】
（請求項１）
請求項１に記載のノック式筆記具は、静電容量式のタッチペンとして使用可能なノック式筆記具であって、軸筒部と、前記軸筒部の後端部にノック操作可能に突出して設けられるノック体と、を備え、前記軸筒部を絶縁材料で形成するとともに、前記ノック体を導電材料で形成し、前記ノック体は、導電材料で形成したクリップを備えていることを特徴とする。
【００１１】
（請求項２）
請求項２に記載の発明は、上記した請求項１記載の発明の特徴点に加え、以下の点を特徴とする。
【００１２】
すなわち、前記ノック体の先端に軟質のパネル接触部材を設けたことを特徴とする。
【発明の効果】
【００１３】
本発明は上記の通りであり、軸筒部と、前記軸筒部の後端部にノック操作可能に突出して設けられるノック体と、を備え、前記軸筒部を絶縁材料で形成するとともに、前記ノック体を導電材料で形成し、前記ノック体は導電材料で形成したクリップを備えている。このように、ノック体を導電材料で形成することで、ノック体の先端部を静電容量式のタッチパネルに使用可能なタッチペンの先端としている。このため、筆記具の先端とタッチペンの先端とが一緒に格納される構造ではないため、タッチペンとして用いた際にインク等によるタッチパネルの汚損や、尖った先端によるタッチパネルの破損といった問題が発生しない。また、タッチペンの先端は常に露出しているため、タッチペンの先端を出し忘れてタップしたりフリックしたりすることもないので、液晶にキズをつけてしまうという問題もない。
【００１４】
なお、軸筒部が絶縁材料で形成されているため、ノック式筆記具を普通に持った状態（クリップに触れずに軸筒部を保持した状態）でタッチパネルにノック体の先端部を接触させても、人体をアースとすることができないため、タッチは検出されない。しかしながら、クリップが導電材料で形成されているため、クリップに触れた状態でタッチパネルにノック体の先端部を接触させれば、人体をアースとしてタッチが検出される。
【００１５】
このように、タッチを検出しない状態でノック体の先端部をタッチパネルに触れさせることができるので、例えばタッチパネル上で使用する指示棒として使用できる。通常の筆記具の先端等を指示棒として使用した場合、タッチパネルを傷つけるおそれがあるが、ノック体の先端部はタッチパネルとの接触部であるからタッチパネルを傷つけないように形成されており、指示棒として使用した場合にタッチパネルを傷つけるおそれが小さい。
【００１６】
また、クリップを人差し指などで素早くタップすれば、タッチパネルへの入力を高速でオン・オフすることができ、クリップへの接触をスイッチとしてタッチパネルへの入力が行われるという新規な使用感を得ることができる。
【００１７】
また、クリップへの接触がスイッチとなるため、例えばゲーム等で高速にタップする操作が必要になる場合でも、タッチパネルにノック体の先端部を押し当てた状態で高速なタップ操作が実現できる。すなわち、タッチパネルを高速で叩く必要がないので、タッチパネルを傷つけるおそれを低減することができる。
【００１８】
しかも、このような新規な構成を、軸筒部・ノック体・クリップという従来のノック式筆記具が備えている部材により実現できるため、従来のノック式筆記具の構造をそのまま流用することができる。
【図面の簡単な説明】
【００１９】
【図１】本発明の実施形態に係るノック式筆記具を示す図であり、（ａ）ノック前の状態を示す図、（ｂ）ノック後の状態を示す図である。
【図２】本発明の実施形態に係るノック式筆記具のノック体とクリップとを示す一部拡大図である。
【図３】本発明の実施形態に係るノック式筆記具の使用状態を示す図であって、（ａ）入力オフの状態を示す図、（ｂ）入力オンの状態を示す図である。
【発明を実施するための形態】
【００２０】
本発明の実施形態について、ノック式筆記具１０としてノック式ボールペンを例に挙げ、図を参照しながら説明する。
【００２１】
本実施形態に係るノック式筆記具１０は、図１に示すように、軸筒部１１の後端部１１ｂにノック体１２がノック操作可能に突出して設けられており、ノック体１２を軸筒部１１に対して押し込み操作することで、リフィル１６の筆記先端部１６ａを出没させることができるように形成されている。リフィル１６は軸筒部１１内に収容されており、軸筒部１１の前端部１１ａに取り付けられた先端カバー１５から突出可能となっている。リフィル１６の筆記先端部１６ａにはボールペン先が形成されており、この筆記先端部１６ａを先端カバー１５の先端から突出させることで紙等への筆記が可能な状態となる。なお、特に図示しないが、ノック操作による出没機構は公知の構造を使用したものであり、ノック操作によりリフィル１６の筆記先端部１６ａが突出と没入とを交互に繰り返すように形成されている。
【００２２】
本実施形態に係るノック式筆記具１０は、ノック体１２が導電材料で形成されることで静電容量式のタッチペンとして使用可能となっている。なお、ノック体１２は導電材料で形成されていればよく、例えば、金属材料で形成したり、表面にメッキ処理を施した材料で形成したり、炭素材料で形成したり、導電性の高分子材料で形成したりすることができる。
【００２３】
このノック体１２は、図２に示すように、軸筒部１１から操作可能に突出した頭部１２ａと、軸筒部１１の内部に挿入されて先端付近にリフィル１６を接続した軸部１２ｄと、を備えている。頭部１２ａには、クリップ保持溝１２ｃが周方向に凹設されており、クリップ１３を取り付け可能に形成されている。
【００２４】
クリップ１３は導電材料で形成されており、上述したノック体１２と同様に、例えば、金属材料で形成したり、表面にメッキ処理を施した材料で形成したり、炭素材料で形成したり、導電性の高分子材料で形成したりすることができる。このクリップ１３は、図２に示すように、Ｃ字状部１３ａと、挟持片１３ｂと、を備えている。
【００２５】
Ｃ字状部１３ａは、図示しないが、平面視でＣ字形に形成されており、前記したノック体１２のクリップ保持溝１２ｃに嵌合するように形成されている。すなわち、クリップ保持溝１２ｃに沿うようにＣ字状部１３ａを押し込むことで、Ｃ字状部１３ａが開き方向に弾性変形し、Ｃ字状部１３ａをクリップ保持溝１２ｃに嵌め込むことができるようになっている。そして、このようにＣ字状部１３ａをクリップ保持溝１２ｃに嵌め込むことで、クリップ１３をノック体１２に固定できるようになっている。
【００２６】
挟持片１３ｂは、Ｃ字状部１３ａからペン先方向に延設された幅狭板状部であり、先端付近に凸隆部１３ｃを備えている。凸隆部１３ｃは軸筒部１１の外周に臨むように配置されている。この挟持片１３ｂは弾性を有するように形成されており、通常時においては凸隆部１３ｃが軸筒部１１の外周に密着するか、または、軸筒部１１との間にごく小さな間隙を設けた状態となっている。このため、挟持片１３ｂが外側に弾性変形することで、凸隆部１３ｃと軸筒部１１との間に被挟持物（例えば背広やシャツのポケットなど）を挟み込んで保持できるように形成されている。
【００２７】
ノック体１２の先端には、図２に示すように、軟質のパネル接触部材１４が設けられている。パネル接触部材１４は、一般的な静電容量式タッチペンのペン先に使用される導電性材料で形成されており、例えば導電性の高分子材料、導電繊維、導電ゴム、フェルトなどで形成されている。
【００２８】
上記したように、ノック体１２にはクリップ１３とパネル接触部材１４とが取り付けられており、互いに電気を流すことができるように接続されている。
【００２９】
一方、軸筒部１１は絶縁材料で形成されている。なお、絶縁材料としては、ノック体１２と人体との間においてタッチセンサに検知されない程度に絶縁性を有していればよい。
【００３０】
以上説明した本実施形態によれば、軸筒部１１と、前記軸筒部１１の後端部１１ｂにノック操作可能に突出して設けられるノック体１２と、を備え、前記軸筒部１１を絶縁材料で形成するとともに、前記ノック体１２を導電材料で形成し、前記ノック体１２は、導電材料で形成したクリップ１３を備えている。このように、ノック体１２を導電材料で形成することで、ノック体１２の先端部１２ｂを静電容量式のタッチパネルＡに使用可能なタッチペンの先端としている。このため、筆記具の先端とタッチペンの先端とが一緒に格納される構造ではないため、タッチペンとして用いた際にインク等によるタッチパネルＡの汚損や、尖った先端によるタッチパネルＡの破損といった問題が発生しない。また、タッチペンの先端は常に露出しているため、タッチペンの先端を出し忘れてタップしたりフリックしたりすることもないので、液晶にキズをつけてしまうという問題もない。
【００３１】
なお、軸筒部１１が絶縁材料で形成されているため、ノック式筆記具１０を普通に持った状態（クリップ１３に触れずに軸筒部１１を保持した状態）でタッチパネルＡにノック体１２の先端部１２ｂを接触させても、人体をアースとすることができないため、タッチは検出されない（図３（ａ）参照）。しかしながら、クリップ１３が導電材料で形成されているため、クリップ１３に触れた状態でタッチパネルＡにノック体１２の先端部１２ｂを接触させれば、人体をアースとしてタッチが検出される（図３（ｂ）参照）。
【００３２】
このように、タッチを検出しない状態でノック体１２の先端部１２ｂをタッチパネルＡに触れさせることができるので、例えばタッチパネルＡ上で使用する指示棒として使用できる。通常の筆記具の先端等を指示棒として使用した場合、タッチパネルＡを傷つけるおそれがあるが、ノック体１２の先端部１２ｂには軟質のパネル接触部材１４が設けられているからタッチパネルＡを傷つけないように形成されており、指示棒として使用した場合にタッチパネルＡを傷つけるおそれがない。
【００３３】
また、クリップ１３を人差し指などで素早くタップすれば（図３（ａ）と図３（ｂ）とを素早く繰り返せば）、タッチパネルＡへの入力を高速でオン・オフすることができ、クリップ１３への接触をスイッチとしてタッチパネルＡへの入力が行われるという新規な使用感を得ることができる。
【００３４】
また、クリップ１３への接触がスイッチとなるため、例えばゲーム等で高速にタップする操作が必要になる場合でも、タッチパネルＡにノック体１２の先端部１２ｂを押し当てた状態で高速なタップ操作が実現できる。すなわち、タッチパネルＡを高速で叩く必要がないので、タッチパネルＡを傷つけるおそれを低減することができる。
【００３５】
しかも、このような新規な構成を、軸筒部１１・ノック体１２・クリップ１３という従来のノック式筆記具が備えている部材により実現できるため、従来のノック式筆記具の構造をそのまま流用することができる。
【００３６】
なお、上記した実施形態においては、ノック式筆記具１０としてノック式ボールペンを例に挙げて説明したが、本発明の実施形態としてはこれに限らない。すなわち、シャープペンシル、フェルトペン、マーカーペン等の種々の筆記具に適用することができる。
【００３７】
また、上記した実施形態においては、クリップ１３をノック体１２に嵌合させることとしたが、本発明の実施形態としてはこれに限らない。例えば、クリップ１３をノック体１２にボルト等で固定してもよいし、また、クリップ１３とノック体１２とを一体形成してもよい。
【００３８】
また、上記した実施形態においては特に説明していないが、ノック体１２やクリップ１３の全体を導電材料で形成する必要はなく、ノック体１２やクリップ１３が絶縁材料で形成された部位を備えていてもよい。すなわち、パネル接触部材１４からノック体１２への導電経路、及び、ノック体１２からクリップ１３への導電経路を確保できるように導電材料が使用されていればよく、このような作用を阻害しない範囲において絶縁材料を使用してもよい。
【符号の説明】
【００３９】
１０  ノック式筆記具
１１  軸筒部
１１ａ  前端部
１１ｂ  後端部
１２  ノック体
１２ａ  頭部
１２ｂ  先端部
１２ｃ  クリップ保持溝
１２ｄ  軸部
１３  クリップ
１３ａ  Ｃ字状部
１３ｂ  挟持片
１３ｃ  凸隆部
１４  パネル接触部材
１５  先端カバー
１６  リフィル
１６ａ  筆記先端部
Ａ  タッチパネル
【図１】
2014091269.tif 000003
【図２】
2014091269.tif 000004
【図３】
2014091269.tif 000005
【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
静電容量式のタッチペンとして使用可能なノック式筆記具であって、
軸筒部と、
前記軸筒部の後端部にノック操作可能に突出して設けられるノック体と、
を備え、
前記軸筒部を絶縁材料で形成するとともに、前記ノック体を導電性の金属材料で形成し、
前記ノック体は、導電性の金属材料で形成したクリップを備えていることを特徴とする、ノック式筆記具。
【請求項２】
前記ノック体の先端に導電性材料で形成された軟質のパネル接触部材を設けたことを特徴とする、請求項１記載のノック式筆記具。
【手続補正２】
【補正対象書類名】明細書
【補正対象項目名】全文
【補正方法】変更
【補正の内容】
【発明の詳細な説明】
【技術分野】
【０００１】
この発明は、静電容量式のタッチペンとして使用可能なノック式筆記具に関する。
【背景技術】
【０００２】
従来、筆記具にタッチペンの機能を持たせたものが提案されている。
【０００３】
例えば、特許文献１には、多色ノック式ボールペンにおいて、ボールペン本体に内設した１本のボールペン軸の先端部に、タッチパネルに接触させて情報の入出力を行うことのできる円柱状のタッチ具を設けてなるタッチペンを内設したものが提案されている。
【０００４】
また、特許文献２には、軸筒の先端側に筆記先端が設けられ、かつ、後端側に導電性を備えた静電容量型タッチペンを搭載した筆記具が提案されている。この特許文献２記載の筆記具においては、静電容量型タッチペンは筆記先端と同時に出没可能に形成されている。
【先行技術文献】
【特許文献】
【０００５】
【特許文献１】特開２０１２−１７９８８７号公報
【特許文献２】特開２０１２−１５３０８７号公報
【発明の概要】
【発明が解決しようとする課題】
【０００６】
しかし、上記した特許文献１記載の発明の場合、筆記具の先端とタッチペンの先端とが一緒に格納されているため、筆記具の先端から滲出したインク等がタッチペンの先端に付着してタッチパネルを汚損したり、誤って筆記具の先端でタッチパネルに触れてしまいタッチパネルが破損したりといった問題が発生するおそれがあった。
【０００７】
この点、特許文献２記載の発明のように、筆記具の後端側にタッチペンの先端を設ければ、筆記具の先端とタッチペンの先端とが互いに逆向きに設けられるので上記した問題は発生しない。しかしながら、タッチペンの先端を出し忘れてタップしたりフリックしたりすると、液晶にキズをつけてしまう可能性があった。
【０００８】
そこで、本発明は、タッチペンとして使用可能なノック式筆記具であって、筆記具の後端側にタッチペンの先端を設けるとともに、タッチペンの先端を出し忘れてタップしたりフリックしたりすることで液晶にキズをつけてしまう問題も発生せず、また、新規な使用感を得られるノック式筆記具を提供することを課題とする。
【課題を解決するための手段】
【０００９】
本発明は、上記した課題を解決するためになされたものであり、以下を特徴とする。
【００１０】
（請求項１）
請求項１に記載のノック式筆記具は、静電容量式のタッチペンとして使用可能なノック式筆記具であって、軸筒部と、前記軸筒部の後端部にノック操作可能に突出して設けられるノック体と、を備え、前記軸筒部を絶縁材料で形成するとともに、前記ノック体を導電性の金属材料で形成し、前記ノック体は、導電性の金属材料で形成したクリップを備えていることを特徴とする。
【００１１】
（請求項２）
請求項２に記載の発明は、上記した請求項１記載の発明の特徴点に加え、以下の点を特徴とする。
【００１２】
すなわち、前記ノック体の先端に導電性材料で形成された軟質のパネル接触部材を設けたことを特徴とする。
【発明の効果】
【００１３】
本発明は上記の通りであり、軸筒部と、前記軸筒部の後端部にノック操作可能に突出して設けられるノック体と、を備え、前記軸筒部を絶縁材料で形成するとともに、前記ノック体を導電材料で形成し、前記ノック体は導電材料で形成したクリップを備えている。このように、ノック体を導電材料で形成することで、ノック体の先端部を静電容量式のタッチパネルに使用可能なタッチペンの先端としている。このため、筆記具の先端とタッチペンの先端とが一緒に格納される構造ではないため、タッチペンとして用いた際にインク等によるタッチパネルの汚損や、尖った先端によるタッチパネルの破損といった問題が発生しない。また、タッチペンの先端は常に露出しているため、タッチペンの先端を出し忘れてタップしたりフリックしたりすることもないので、液晶にキズをつけてしまうという問題もない。
【００１４】
なお、軸筒部が絶縁材料で形成されているため、ノック式筆記具を普通に持った状態（クリップに触れずに軸筒部を保持した状態）でタッチパネルにノック体の先端部を接触させても、人体をアースとすることができないため、タッチは検出されない。しかしながら、クリップが導電材料で形成されているため、クリップに触れた状態でタッチパネルにノック体の先端部を接触させれば、人体をアースとしてタッチが検出される。
【００１５】
このように、タッチを検出しない状態でノック体の先端部をタッチパネルに触れさせることができるので、例えばタッチパネル上で使用する指示棒として使用できる。通常の筆記具の先端等を指示棒として使用した場合、タッチパネルを傷つけるおそれがあるが、ノック体の先端部はタッチパネルとの接触部であるからタッチパネルを傷つけないように形成されており、指示棒として使用した場合にタッチパネルを傷つけるおそれが小さい。
【００１６】
また、クリップを人差し指などで素早くタップすれば、タッチパネルへの入力を高速でオン・オフすることができ、クリップへの接触をスイッチとしてタッチパネルへの入力が行われるという新規な使用感を得ることができる。
【００１７】
また、クリップへの接触がスイッチとなるため、例えばゲーム等で高速にタップする操作が必要になる場合でも、タッチパネルにノック体の先端部を押し当てた状態で高速なタップ操作が実現できる。すなわち、タッチパネルを高速で叩く必要がないので、タッチパネルを傷つけるおそれを低減することができる。
【００１８】
しかも、このような新規な構成を、軸筒部・ノック体・クリップという従来のノック式筆記具が備えている部材により実現できるため、従来のノック式筆記具の構造をそのまま流用することができる。
【図面の簡単な説明】
【００１９】
【図１】本発明の実施形態に係るノック式筆記具を示す図であり、（ａ）ノック前の状態を示す図、（ｂ）ノック後の状態を示す図である。
【図２】本発明の実施形態に係るノック式筆記具のノック体とクリップとを示す一部拡大図である。
【図３】本発明の実施形態に係るノック式筆記具の使用状態を示す図であって、（ａ）入力オフの状態を示す図、（ｂ）入力オンの状態を示す図である。
【発明を実施するための形態】
【００２０】
本発明の実施形態について、ノック式筆記具１０としてノック式ボールペンを例に挙げ、図を参照しながら説明する。
【００２１】
本実施形態に係るノック式筆記具１０は、図１に示すように、軸筒部１１の後端部１１ｂにノック体１２がノック操作可能に突出して設けられており、ノック体１２を軸筒部１１に対して押し込み操作することで、リフィル１６の筆記先端部１６ａを出没させることができるように形成されている。リフィル１６は軸筒部１１内に収容されており、軸筒部１１の前端部１１ａに取り付けられた先端カバー１５から突出可能となっている。リフィル１６の筆記先端部１６ａにはボールペン先が形成されており、この筆記先端部１６ａを先端カバー１５の先端から突出させることで紙等への筆記が可能な状態となる。なお、特に図示しないが、ノック操作による出没機構は公知の構造を使用したものであり、ノック操作によりリフィル１６の筆記先端部１６ａが突出と没入とを交互に繰り返すように形成されている。
【００２２】
本実施形態に係るノック式筆記具１０は、ノック体１２が導電材料で形成されることで静電容量式のタッチペンとして使用可能となっている。なお、ノック体１２は導電材料で形成されていればよく、例えば、金属材料で形成することができる。
【００２３】
このノック体１２は、図２に示すように、軸筒部１１から操作可能に突出した頭部１２ａと、軸筒部１１の内部に挿入されて先端付近にリフィル１６を接続した軸部１２ｄと、を備えている。頭部１２ａには、クリップ保持溝１２ｃが周方向に凹設されており、クリップ１３を取り付け可能に形成されている。
【００２４】
クリップ１３は導電材料で形成されており、上述したノック体１２と同様に、例えば、金属材料で形成することができる。このクリップ１３は、図２に示すように、Ｃ字状部１３ａと、挟持片１３ｂと、を備えている。
【００２５】
Ｃ字状部１３ａは、図示しないが、平面視でＣ字形に形成されており、前記したノック体１２のクリップ保持溝１２ｃに嵌合するように形成されている。すなわち、クリップ保持溝１２ｃに沿うようにＣ字状部１３ａを押し込むことで、Ｃ字状部１３ａが開き方向に弾性変形し、Ｃ字状部１３ａをクリップ保持溝１２ｃに嵌め込むことができるようになっている。そして、このようにＣ字状部１３ａをクリップ保持溝１２ｃに嵌め込むことで、クリップ１３をノック体１２に固定できるようになっている。
【００２６】
挟持片１３ｂは、Ｃ字状部１３ａからペン先方向に延設された幅狭板状部であり、先端付近に凸隆部１３ｃを備えている。凸隆部１３ｃは軸筒部１１の外周に臨むように配置されている。この挟持片１３ｂは弾性を有するように形成されており、通常時においては凸隆部１３ｃが軸筒部１１の外周に密着するか、または、軸筒部１１との間にごく小さな間隙を設けた状態となっている。このため、挟持片１３ｂが外側に弾性変形することで、凸隆部１３ｃと軸筒部１１との間に被挟持物（例えば背広やシャツのポケットなど）を挟み込んで保持できるように形成されている。
【００２７】
ノック体１２の先端には、図２に示すように、軟質のパネル接触部材１４が設けられている。パネル接触部材１４は、一般的な静電容量式タッチペンのペン先に使用される導電性材料で形成されており、例えば導電性の高分子材料、導電繊維、導電ゴム、フェルトなどで形成されている。
【００２８】
上記したように、ノック体１２にはクリップ１３とパネル接触部材１４とが取り付けられており、互いに電気を流すことができるように接続されている。
【００２９】
一方、軸筒部１１は絶縁材料で形成されている。なお、絶縁材料としては、ノック体１２と人体との間においてタッチセンサに検知されない程度に絶縁性を有していればよい。
【００３０】
以上説明した本実施形態によれば、軸筒部１１と、前記軸筒部１１の後端部１１ｂにノック操作可能に突出して設けられるノック体１２と、を備え、前記軸筒部１１を絶縁材料で形成するとともに、前記ノック体１２を導電材料で形成し、前記ノック体１２は、導電材料で形成したクリップ１３を備えている。このように、ノック体１２を導電材料で形成することで、ノック体１２の先端部１２ｂを静電容量式のタッチパネルＡに使用可能なタッチペンの先端としている。このため、筆記具の先端とタッチペンの先端とが一緒に格納される構造ではないため、タッチペンとして用いた際にインク等によるタッチパネルＡの汚損や、尖った先端によるタッチパネルＡの破損といった問題が発生しない。また、タッチペンの先端は常に露出しているため、タッチペンの先端を出し忘れてタップしたりフリックしたりすることもないので、液晶にキズをつけてしまうという問題もない。
【００３１】
なお、軸筒部１１が絶縁材料で形成されているため、ノック式筆記具１０を普通に持った状態（クリップ１３に触れずに軸筒部１１を保持した状態）でタッチパネルＡにノック体１２の先端部１２ｂを接触させても、人体をアースとすることができないため、タッチは検出されない（図３（ａ）参照）。しかしながら、クリップ１３が導電材料で形成されているため、クリップ１３に触れた状態でタッチパネルＡにノック体１２の先端部１２ｂを接触させれば、人体をアースとしてタッチが検出される（図３（ｂ）参照）。
【００３２】
このように、タッチを検出しない状態でノック体１２の先端部１２ｂをタッチパネルＡに触れさせることができるので、例えばタッチパネルＡ上で使用する指示棒として使用できる。通常の筆記具の先端等を指示棒として使用した場合、タッチパネルＡを傷つけるおそれがあるが、ノック体１２の先端部１２ｂには軟質のパネル接触部材１４が設けられているからタッチパネルＡを傷つけないように形成されており、指示棒として使用した場合にタッチパネルＡを傷つけるおそれがない。
【００３３】
また、クリップ１３を人差し指などで素早くタップすれば（図３（ａ）と図３（ｂ）とを素早く繰り返せば）、タッチパネルＡへの入力を高速でオン・オフすることができ、クリップ１３への接触をスイッチとしてタッチパネルＡへの入力が行われるという新規な使用感を得ることができる。
【００３４】
また、クリップ１３への接触がスイッチとなるため、例えばゲーム等で高速にタップする操作が必要になる場合でも、タッチパネルＡにノック体１２の先端部１２ｂを押し当てた状態で高速なタップ操作が実現できる。すなわち、タッチパネルＡを高速で叩く必要がないので、タッチパネルＡを傷つけるおそれを低減することができる。
【００３５】
しかも、このような新規な構成を、軸筒部１１・ノック体１２・クリップ１３という従来のノック式筆記具が備えている部材により実現できるため、従来のノック式筆記具の構造をそのまま流用することができる。
【００３６】
なお、上記した実施形態においては、ノック式筆記具１０としてノック式ボールペンを例に挙げて説明したが、本発明の実施形態としてはこれに限らない。すなわち、シャープペンシル、フェルトペン、マーカーペン等の種々の筆記具に適用することができる。
【００３７】
また、上記した実施形態においては、クリップ１３をノック体１２に嵌合させることとしたが、本発明の実施形態としてはこれに限らない。例えば、クリップ１３をノック体１２にボルト等で固定してもよいし、また、クリップ１３とノック体１２とを一体形成してもよい。
【００３８】
また、上記した実施形態においては特に説明していないが、ノック体１２やクリップ１３の全体を導電材料で形成する必要はなく、ノック体１２やクリップ１３が絶縁材料で形成された部位を備えていてもよい。すなわち、パネル接触部材１４からノック体１２への導電経路、及び、ノック体１２からクリップ１３への導電経路を確保できるように導電材料が使用されていればよく、このような作用を阻害しない範囲において絶縁材料を使用してもよい。
【符号の説明】
【００３９】
１０  ノック式筆記具
１１  軸筒部
１１ａ  前端部
１１ｂ  後端部
１２  ノック体
１２ａ  頭部
１２ｂ  先端部
１２ｃ  クリップ保持溝
１２ｄ  軸部
１３  クリップ
１３ａ  Ｃ字状部
１３ｂ  挟持片
１３ｃ  凸隆部
１４  パネル接触部材
１５  先端カバー
１６  リフィル
１６ａ  筆記先端部
Ａ  タッチパネル